(57)【要約】【課題】新規な構成の疑似病変部を模した血管モデルを提供する。【解決手段】弾性を有する材料で形成された血管壁部と、該血管壁部へ挿入される疑似病変部とを備え、疑似病変部はコイルばねを備える。このように構成される血管モデルによれば、疑似病変部にコイルばねが配置される。コイルばねはこれに力が加えられたとき応力が全体に分散する。リアルな血管の挙動により近くなる。コイルばねが挿入された部分は全体が均等に曲がるので、コイルばねが挿入された部分とそうでない部分との境界における曲がりかた（曲率）に大きな差が生じがたい。【選択図】図１
2019203968.tif 000002
【特許請求の範囲】
【請求項１】
弾性を有する材料で形成された血管壁部と、
該血管壁部へ挿入される疑似病変部とを備え、
前記疑似病変部はコイルばねを備える、疑似病変部を模した血管モデル。
【請求項２】
前記疑似病変部は前記コイルばねと、該コイルばねの線間に嵌合されるリング状部材とからなる、請求項１に記載の血管モデル。
【請求項３】
前記リング状部材として第１のリングと第２のリングがあり、該第１のリングと該第２のリングとは材質が異なる、請求項２に記載の血管モデル。
【請求項４】
前記リング状部材として第１のリングと第２のリングがあり、該第１のリングと該第２のリングでは半径方向の寸法が異なる、請求項２又は３に記載の血管モデル。
【請求項５】
前記第１のリングと前記第２のリングとが前記コイルばねへ互い違いに嵌合される、請求項３又は４に記載の血管モデル。
【請求項６】
前記疑似病変部は前記コイルばねと該コイルばねを囲繞する病変表現付与材料とを備えてなる、請求項１に記載の血管モデル。
【発明の詳細な説明】
【技術分野】
【０００１】
本発明は疑似病変を模した血管モデルの改良に関する。
【背景技術】
【０００２】
疑似病変、例えばびまん性石灰化疑似病変を模した血管モデルは、カテーテル手術シミュレータに着脱自在に取付けられて、カテーテル手術の訓練に供される。
かかる血管モデルの例が特許文献１に開示されている。
この例では、塑性変形可能な高分子材料からなる疑似血管の一部を縮径させ、縮径した部分を疑似病変部としてその内部の一側に接着性の材料からなる阻止部材が配置されている。
この阻止部材が石灰化した血管を模している。即ち、縮径した疑似病変部にカテーテルを挿通させたとき、阻止部材の配置されていない部分が拡径可能であり、また、阻止部材はカテーテルに干渉してその挿通の妨げとなる。
【先行技術文献】
【特許文献】
【０００３】
【特許文献１】特開２０１１−０２７７９５号公報
【発明の概要】
【発明が解決しようとする課題】
【０００４】
上記構成の石灰化疑似病変を模した血管モデルは、もっぱら直線状のモデルとして、カテーテル手術シミュレータに組み込まれる。
しかしながら、かかるモデルを屈曲した血管モデルに適用しよとすると、次なる課題があった。
阻止部材の存在により、リアルな血管に比べて血管モデル自体が屈曲し難くなっている。特に、阻止部材のある部分と無い部分の境目（軸方向の）において、その特性が大きく変化するので、これにカテーテルを挿通させたとき阻止部材が配置されていない部分にストレスが集中して、シミュレータとしての機能を奏さないおそれがあった。
また、血管モデルに疑似血液を流通させると、阻止部材の材料によっては、血流により剥離ないし摩耗されるおそれもあった。
【課題を解決するための手段】
【０００５】
この発明は上述の課題に鑑みてなされたものであり、その第１の局面は次のように規定される。即ち、
弾性を有する材料で形成された血管壁部と、
該血管壁部へ挿入される疑似病変部とを備え、
前記疑似病変部はコイルばねを備える、疑似病変部を模した血管モデル。
このように構成される血管モデルによれば、疑似病変部にコイルばねが配置される。コイルばねはこれに力が加えられたとき応力が全体に分散し、リアルな血管の挙動により近くなる。コイルばねが挿入された部分は全体が均等に曲がるので、コイルばねが挿入された部分とそうでない部分との境界における曲がりかた（曲率）に大きな差が生じない。
また、コイルばねの外径寸法を調整すれば、強い疑似血液の流れがあっても、下流側に偏移することはない。
【図面の簡単な説明】
【０００６】
【図１】図１は本発明の実施例の疑似病変部を模した血管モデルの構成を示す断面図である。
【図２】図２Ａはシリコン樹脂製のリングの側面図と正面図を示し、図２Ｂはガラス製のリングの側面図と正面図を示す。
【発明の実施をするための形態】
【０００７】
血管壁部はシリコーンゴムなどの弾性を有する材料で形成される。その他、ポリエチレンやポリプロピレンその他の樹脂材料やポリウレタンやポリアミドその他のエラストマー材料等を用いることができる。
血管壁部の長さ、内径、壁部の厚さは訓練対象となる血管の部位に応じて、また、模そうとする病変の種類により、任意に設計できる。
カテーテルの挿通状態を目視観察できるように、血管壁部の材料は光透過性とすることが好ましい。
【０００８】
疑似病変部を構成するコイルばねのばね定数やその長さは、血管モデルに要求される曲がりやすさに応じて任意に設定できる。コイルばねの外径寸法は血管壁部の内径寸法と等しくすることが好ましい。
コイルばねの材料は、金属、樹脂、セラミックなど任意の材料を選択できるが、透明かつＸ線を透過させる見地から樹脂製とすることが好ましい。
【０００９】
コイルばねを粘度の高い材料、例えばシリコーンゲルや一般的な接着材の材料（病変表現材料）でくるんで、換言すれば、病変表現材料へコイルばねを埋設することで、疑似病変部を構成することができる。
コイルばねの内周面が表出する場合は、コイルばねの線材を樹脂その他の摺動性の良い材料で被覆しておくことが好ましい。
【００１０】
本発明者らの検討によれば、コイルばねの螺旋の１ピッチ毎に、各種材料製のリングを嵌め込んで、このリングを病変表現材料とすることもできる。
このリングの外径は血管壁部の内径と同じか少し大きいものとして、血管壁部に対してむり嵌めの状態とすることが好ましいが、これに限定されるわけではない。リングの内径は、模そうとする病変に応じて適宜選択できる。例えば血管の狭窄を模すときにはその内径は外径の半分ないし１／３とする。勿論、カテーテルが挿通できる径は確保する。
リングの幅はコイルばねのピッチと同一か若しくは少し大きく（１〜１．５倍）して、コイルばねのばね定数に影響が出ないようにする。
【００１１】
異なる種類のリングをコイルばねにはめ込むこともできる。ここに異なる種類のリングとは、材質及び形状（外内径、幅、等）が異なることを指す。種類の異なるリングをコイルばねにはめ込むときは、規則的に配列してもよいが（例えば、互い違いに）、その配列は任意でもかまわない。
【実施例】
【００１２】
以下、この発明の実施例について説明する。
図１は実施例の血管モデル１の構成を示す断面図である。
この血管モデル１は血管壁部３と疑似病変部１０とを備えている。血管壁部３はシリコーンゴム製のチューブからなる。その硬度はデュロメータ硬度タイプＡで５０程度であり、好ましくは２０から５０であり、内径は３．０ｍｍ、平均膜厚は０．５ｍｍである。
疑似病変部１０はコイルばね１１と２種類のリング１５、１７とを備えている。
コイルばね１１の線はステンレス製とし、その太さ：０．３ｍｍ、外径は３．０ｍｍ、内径は１．０ｍｍとした。ピッチは１．０ｍｍであり、全長１５ｍｍとした。
リング１５はシリコン樹脂からなり、図２Ａに示すように、その幅は１ｍｍ、外径が３ｍｍ、内径が１ｍｍである。硬度は血管壁部３と同じとすることが好ましく、同タイプＡで２０から５０とする。
他方のリング１７はガラス製であり、図２Ｂに示すように、その幅は１．２ｍｍ、その外径が２．８ｍｍ、その内径が１．２ｍｍとした。
びまん性石灰化病変部では、基質化したプラーク（弾性があり塑性変形しやすい）と石灰化が混在して、かつ内部に凹凸が形成されているので、この実施例のモデルは、当該びまん性石灰化病変部の疑似病変部として優れたものとなる。
【００１３】
かかる２種類のリング１５及び１７を、図１に示すように、互い違いにコイルばね１１へはめ込む。
このように、材質及び内径が異なるリングを血管モデルの軸方向へ一定間隔（コイルばね１１の線幅）でかつ固定して（軸方向に移動しないように）並べることにより、カテーテルに対する疑似病変部１０の干渉具合を任意に設計できる。本発明者らの検討によれば、内径が異なるリングを並べることにより、カテーテルに対する抵抗を調整できる。また、異なる材料、特に無機系の材料製のリングを採用することにより、カテーテルの挿入感がリアルな石灰化病変部のそれに近くなる。
【００１４】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００１５】
１  血管モデル
３  血管壁部
１０  疑似病変部
１１  コイルばね
１５、１７リング部
【図１】
2019203968.tif 000003
【図２】
2019203968.tif 000004